(57)【特許請求の範囲】
【請求項１】
原稿トレイから搬送され、反転されて読み取り部で読み取られた原稿を、排出ローラにて排出トレイに送出する原稿送り装置であって、
原稿を前記原稿トレイから前記読み取り部へ向けて搬送する搬送路と、
前記読み取り部で読み取られた原稿をスイッチバックさせて搬送方向を変更するための反転部と、
前記排出ローラを駆動させる駆動装置の駆動に伴って回転可能に構成されており、前記読み取り部で片面が読み取られた原稿を前記反転部に搬送する一方、原稿の他面も読み取る場合には、前記反転部に搬送された原稿を前記搬送路に向けて、或いは該他面も既に読み取った場合には、前記搬送路を通さずに前記排出トレイに向けてスイッチバックさせる反転ローラと、
前記搬送路を通さずに前記排出トレイに向けてスイッチバックした原稿が搬送される排出前搬送路と、
前記排出ローラの駆動に伴って回転可能に構成されており、前記排出前搬送路に搬送される原稿を前記排出ローラに向けて搬送する搬送ローラと、
前記排出ローラの駆動手段に設けられており、前記反転ローラが前記読み取り部で読み取られた原稿を前記反転部へ向けて搬送する方向に回転した場合には、前記排出ローラ及び前記搬送ローラに回転力を伝達させず、前記反転ローラが前記反転部に搬送された原稿をスイッチバックさせる方向に回転した場合には、前記排出ローラ及び前記搬送ローラに、前記排出前搬送路に搬送される原稿を前記排出トレイに送出させる回転力を伝達させる連結手段と
を具備することを特徴とする原稿送り装置。
【請求項２】
請求項１に記載の原稿送り装置であって、
前記反転ローラが前記反転部に搬送された原稿をスイッチバックさせ前記排出前搬送路を通して前記排出トレイに排出する場合には、前記反転ローラは、前記読み取り部における読取速度の最高値で回転することを特徴とする原稿送り装置。
【請求項３】
請求項１に記載の原稿送り装置であって、
前記反転ローラが前記反転部に搬送された原稿をスイッチバックさせ前記搬送路に向けて搬送する場合には、前記反転ローラは、前記読み取り部における読取速度の最高値で回転することを特徴とする原稿送り装置。
【請求項４】
請求項１に記載の原稿送り装置であって、
前記読み取り部の近傍には、その読み取られた原稿を前記反転ローラ或いは前記排出ローラに向けて搬送可能な読取側ローラをさらに具備し、
前記原稿が普通紙とは厚さの異なる特殊な紙であった場合には、
前記他面も既に読み取ったときにも、前記反転部に搬送された原稿を、前記排出前搬送路を通さずに前記搬送路を通してスイッチバックさせ、
前記読み取り部から前記反転部を通さずに前記排出ローラに向けて搬送することを特徴とする原稿送り装置。
【請求項５】
請求項１から４のいずれか一項に記載の原稿送り装置を搭載したことを特徴とする画像形成装置。
【発明の詳細な説明】
【技術分野】
【０００１】
本発明は、原稿を所定の画像読取位置に搬送する原稿送り装置及びこれを搭載した画像形成装置に関する。
【背景技術】
【０００２】
この種の画像形成装置は、原稿送り装置や読み取り部を搭載しており、原稿送り装置の原稿トレイにセットされた原稿は読み取り部の画像読取位置に向けて搬送され、その画像面が読み取られる。
そして、電子写真プロセスを用いる画像形成装置では、感光体ドラムを予め帯電し、このドラムの表面にレーザ光を照射して静電潜像を形成する。次いで、現像されたトナー画像を用紙に転写及び定着する。
【０００３】
この原稿トレイから搬送された原稿は、原稿送り装置の排出トレイに送出されるが、原稿の表面及び裏面の双方を読み取る場合には、表面を読み取った後に表裏が反転し、裏面を読み取ってから排出トレイに送出される。
ここで、当該裏面を読み取った状態のまま排出トレイに送出すると、原稿トレイにセットした順序とは逆の順序で排出トレイに積層されてしまう。そのため、表裏をさらに反転させてから排出トレイに送出する技術が開示されている（例えば、特許文献１参照）。
【０００４】
詳しくは、この技術には、反転トレイやスイッチバック搬送路が設けられ、この反転トレイは裏面を読み取った後の原稿を載置し、スイッチバック搬送路は、原稿を読み取る経路とは別に、反転トレイと排出トレイとを直接に結んでおり、曲率の小さな湾曲形状で構成されている。これにより、裏面も読み取られた原稿は、反転トレイからスイッチバック搬送路を経ると、その表裏がさらに反転するため、原稿トレイにセットした順序で排出トレイに送出可能になる。
【先行技術文献】
【特許文献】
【０００５】
【特許文献１】特開２００２−１１１９５６号公報
【発明の概要】
【発明が解決しようとする課題】
【０００６】
ところで、上述した従来の技術では、総ての原稿の読み取りに要する期間がやはり長くなるとの問題がある。
すなわち、当該技術の反転トレイには反転ローラが、排出トレイには排出ローラがそれぞれ設けられているが、これら各ローラは一体駆動されている。換言すれば、当該構造では、先の原稿を排出トレイに排出した後でなければ、後の原稿を反転トレイに搬送することができず、先の原稿と後の原稿との間の距離が長くなるからである。
【０００７】
このように、当該技術では、一体駆動に構成された複数のローラを効率良く機能させる点については依然として課題が残されている。
また、この各原稿間の距離を短くするとの課題を解決するにあたり、反転トレイからスイッチバック搬送路を経由して排出トレイに向かう先の原稿と、読み取り部から反転トレイに向かう後の原稿とは、向かい合う対面状態で搬送される場合がある点にも留意しなければならない。
【０００８】
仮に、先の原稿を反転トレイからスイッチバック搬送路に搬送させると同時に、後の原稿を反転トレイに搬送させて各原稿間の距離を短くしても、これら各原稿の重なり合う機会が増えると、後の原稿が反転トレイの直前で詰まってしまい、原稿搬送に関する生産性がやはり悪化するのである。
そこで、本発明の目的は、上記課題を解消し、各原稿間の距離を短くしつつ、原稿を安定搬送できる原稿送り装置及びこれを搭載した画像形成装置を提供することである。
【課題を解決するための手段】
【０００９】
上記目的を達成するための第１の発明は、原稿トレイから搬送され、反転されて読み取り部で読み取られた原稿を、排出ローラにて排出トレイに送出する原稿送り装置である。
そして、原稿を原稿トレイから読み取り部へ向けて搬送する搬送路と、読み取り部で読み取られた原稿をスイッチバックさせて搬送方向を変更するための反転部と、排出ローラを駆動させる駆動装置の駆動に伴って回転可能に構成されており、読み取り部で片面が読み取られた原稿を反転部に搬送する一方、原稿の他面も読み取る場合には、反転部に搬送された原稿を搬送路に向けて、或いは該他面も既に読み取った場合には、搬送路を通さずに排出トレイに向けてスイッチバックさせる反転ローラと、搬送路を通さずに排出トレイに向けてスイッチバックした原稿が搬送される排出前搬送路と、排出ローラの駆動に伴って回転可能に構成されており、排出前搬送路に搬送される原稿を排出ローラに向けて搬送する搬送ローラと、排出ローラの駆動手段に設けられており、反転ローラが読み取り部で読み取られた原稿を反転部へ向けて搬送する方向に回転した場合には、排出ローラ及び搬送ローラに回転力を伝達させず、反転ローラが反転部に搬送された原稿をスイッチバックさせる方向に回転した場合には、排出ローラ及び搬送ローラに、排出前搬送路に搬送される原稿を排出トレイに送出させる回転力を伝達させる連結手段とを具備する。
【００１０】
第１の発明によれば、原稿は、その片面を上に向けた状態で原稿トレイに積層されると、読み取り部で読み取られた後に排出ローラで排出トレイに送出される。この排出トレイの原稿は、その片面を下に向けた状態で積層される。
ここで、原稿の片面及び他面の双方を読み取る場合には、まず、読み取り部が原稿トレイから搬送された片面を読み取ると、この原稿は、表裏が反転し、他面を上に向けた状態で反転ローラに搬送され、この反転ローラの回転により、反転部に搬送される。
【００１１】
次いで、反転ローラが反対側に回転すると、この原稿の搬送方向が逆転し、反転部から搬送路を経て、読み取り部が他面を読み取る。この状態のままで排出すると、原稿トレイにセットした順序とは逆の順序で排出トレイに積層されてしまう。
【００１２】
そこで、原稿は、片面を上に向けた状態で再び反転ローラに搬送され、反転部に搬送される。これら片面及び他面の双方が読み取られた原稿は、反転ローラによって搬送方向が再び逆転し、反転部と排出トレイとを直接に結ぶ排出前搬送路に搬送される。この排出前搬送路では、表裏が再び反転し、片面を下に向けた状態になる。
【００１３】
一方、この排出前搬送路には搬送ローラが設けられているが、これら反転ローラや搬送ローラは排出ローラを駆動させる駆動装置の回転に従動する。
つまり、反転ローラは正逆転するにも拘わらず、単に、駆動装置に従動するのでは、反転ローラが原稿を反転部に搬送させる方向に回転している間は、排出ローラや搬送ローラはその機能を果たすことが困難になり、これでは、先の原稿を排出トレイに排出した後でなければ、後の原稿を反転トレイに呼び込むことができず、やはり総ての原稿の読み取りに要する期間が長くなってしまう。
【００１４】
しかしながら、本発明の排出ローラの駆動手段には一方向の回転だけを伝える連結手段が設けられ、反転排出制御が施されている。詳しくは、当該連結手段は、反転ローラが原稿を反転部に搬送させる方向に回転した場合には、排出ローラ及び搬送ローラに回転力を伝達させず、これに対し、反転ローラが反転部に搬送された原稿をスイッチバックさせる方向に回転した場合には、排出ローラ及び搬送ローラに、排出前搬送路に搬送された原稿が排出トレイに送出させる回転力を伝達させることができる。
【００１５】
よって、先の原稿を排出前搬送路に一旦停止させた状態で、反転ローラは後の原稿を反転部に搬送させることが可能になり、各原稿間の距離を短くできる。また、反転ローラが後の原稿を搬送路に向けて搬送すると同時に、搬送ローラや排出ローラは先の原稿を排出トレイに送出できる。この結果、原稿送り装置の原稿搬送に関する生産性が向上する。
さらに、この一旦停止した原稿が排出ローラ及び搬送ローラの双方で送出可能になれば、原稿の安定搬送が図られる。
【００１６】
第２の発明は、第１の発明の構成において、反転ローラが反転部に搬送された原稿をスイッチバックさせ排出前搬送路を通して排出トレイに排出する場合には、反転ローラは、読み取り部における読取速度の最高値で回転することを特徴とする。
第２の発明によれば、第１の発明の作用に加えてさらに、反転ローラが反転部に搬送された原稿を排出トレイに向けて搬送する際に、反転ローラがこの原稿を数種類ある読取速度のうち設定速度の最高値で回転して排出トレイに送出することから、原稿の排出に要する排出動作時間をより短縮できる。
【００１７】
第３の発明は、第１の発明の構成において、反転ローラが反転部に搬送された原稿をスイッチバックさせ搬送路に向けて搬送する場合には、反転ローラは、読み取り部における読取速度の最高値で回転することを特徴とする。
第３の発明によれば、第１の発明の作用に加えてさらに、反転ローラが反転部に搬送された原稿を搬送路に向けて搬送する際に、この反転ローラがこの原稿を数種類ある読取速度のうち設定速度の最高値で回転して搬送路に搬送するので、原稿のスイッチバックに要する期間をより短縮できる。
【００１８】
第４の発明は、第１の発明の構成において、読み取り部の近傍には、その読み取られた原稿を反転ローラ或いは排出ローラに向けて搬送可能な読取側ローラをさらに具備し、原稿が普通紙とは厚さの異なる特殊な紙であった場合には、他面も既に読み取ったときにも、反転部に搬送された原稿を、排出前搬送路を通さずに搬送路を通してスイッチバックさせ、読み取り部から反転部を通さずに排出ローラに向けて搬送することを特徴とする。
【００１９】
第４の発明によれば、第１の発明の作用に加えてさらに、読取側ローラは、読み取り部で読み取られた原稿を反転ローラ或いは排出ローラに向けて搬送可能であるが、この原稿が普通紙とは厚さの異なる特殊な紙であった場合には、反転排出経路回避制御が適用される。
詳しくは、この特殊な紙の他面も既に読み取ったときにも、当該他面を初めて読み取る場合と同様に、反転部に搬送された原稿を搬送路に向けてスイッチバックさせ、排出前搬送路に向かわせない。そして、読取側ローラは、当該原稿を、その片面が排出トレイに対峙する状態で直接に排出ローラに向けて搬送する。よって、この特殊な紙に作用する負荷が小さくて済み、曲率が小さくなり得る排出前搬送路に特殊な紙を搬送した場合に比して、排出前搬送路における原稿の詰まりを未然に防止できる。
【００２０】
第５の発明は、第１から４のいずれかの原稿送り装置を搭載した画像形成装置であることを特徴とする。
第５の発明によれば、第１から第４の発明の作用に加えてさらに、各原稿間の距離が短くなることにより、画像形成装置に要する作業期間も短くて済み、画像形成装置の信頼性も向上する。
【発明の効果】
【００２１】
本発明によれば、先の原稿と後の原稿との間の距離が短くなるため、原稿搬送に関する生産性が向上する原稿送り装置及びこれを搭載した画像形成装置を提供することができる。
【図面の簡単な説明】
【００２２】
【図１】第１実施例の原稿送り装置を搭載した複合機の断面正面図である。
【図２】図１の原稿送り装置の斜視図である。
【図３】図２の原稿送り装置の断面正面図である。
【図４】図２の原稿送り装置の制御ブロック図である。
【図５】図４の排出側ローラの説明図である。
【図６】図４の排出側ローラの説明図である。
【図７】図１の原稿送り装置による原稿搬送の説明図である。
【図８】図１の原稿送り装置による原稿搬送の説明図である。
【図９】図１の原稿送り装置による原稿搬送の説明図である。
【図１０】第２実施例の原稿送り装置による原稿搬送の説明図である。
【図１１】第２実施例の原稿送り装置による原稿搬送の説明図である。
【図１２】第３実施例の原稿送り装置による原稿搬送の説明図である。
【図１３】第３実施例の原稿送り装置による原稿搬送の説明図である。
【図１４】第３実施例の原稿送り装置による原稿搬送の説明図である。
【発明を実施するための形態】
【００２３】
以下、本発明の実施形態について図面を参照しながら説明する。
図１には、画像形成装置の一例である複合機１の正面側からみた断面が示されている。
本実施例の複合機１は、胴内排紙型の装置本体２を有しており、排紙トレイ１４が読み取り部７の下側に形成されている。
【００２４】
装置本体２の上側、詳しくは、読み取り部７の上側には原稿送り装置２０が搭載され、この原稿送り装置２０は、原稿を所定の画像読取位置に自動搬送可能に構成されている（ＡＤＦ：Ａｕｔｏ  Ｄｏｃｕｍｅｎｔ  Ｆｅｅｄｅｒ）。具体的には、複合機１を複写機やファクシミリ、ネットワークスキャナとして利用するときには、この原稿送り装置２０から原稿を搬送し、その画像面は読み取り部７にて光学的に読み取られる。
【００２５】
一方、装置本体２の下部にはフロントローディング式の用紙供給装置が配置される。詳しくは、本実施例の供給装置には、装置本体２の高さ方向に沿って上下２段の給紙カセット３が備えられている。そして、各カセット３はいずれも装置本体２に対して着脱可能に構成され、複合機１の正面側に向けて引き出されると、カセット３の内部が外部に対して開かれる一方、複合機１の背面側に向けて押し込まれると、その内部が閉じられる。
【００２６】
また、同図にて実線で示された矢印は用紙の搬送経路及びその搬送方向を表している。
各カセット３には画像形成前の各種の用紙Ｐが積層状態で収容され、この用紙Ｐはカセット３から１枚ずつ分離され、図の左方向に向けて送出される。そして、搬送路４の用紙Ｐは装置本体２の左側面に沿って上方に向けて搬送される。
【００２７】
また、装置本体２の右側面には開閉式の手差しトレイ５が備えられており、このトレイ５から送出された用紙も搬送路６に搬送され、その後、上方に向けて搬送される。
この装置本体２の内部には、用紙搬送方向で見て下流側にレジストローラ、画像形成部９及び転写部１０が順番に配置されている。画像形成部９の右方には露光部８やトナーコンテナ１１が備えられており、露光部８からは画像形成部９の感光体ドラムに向けてレーザ光Ｌが照射され、トナーコンテナ１１からのトナーが現像される。
【００２８】
用紙搬送方向で見て転写部１０の下流側には、定着部１２、及び排出分岐部１３が順番に配置され、搬送路４の左方には、両面印刷用ユニット１６が配置されている。両面印刷用ユニット１６は、一端側が搬送路４における定着部１２の下流側に接続され、他端側が画像形成部９の上流側に接続された逆搬送路を含む。片面印刷の場合には、定着部１２から排出された用紙は排出ローラ１５を経て排紙トレイ１４に排出される。
一方、両面印刷の場合には、用紙は、一旦排紙トレイ１４に向けて送り出された後、排出ローラ１５の反転駆動で両面印刷用ユニット１６の逆搬送路に向けてスイッチバック搬送され、搬送路４の画像形成部９の上流側に戻され、画像形成部９に向けて再び送出される。
【００２９】
ここで、上述した原稿送り装置２０は、同図の右方に配置した原稿を左方に向けて搬送し、再び右方に向けて排出可能な送り装置本体２１を有している。
具体的には、図２に示されるように、送り装置本体２１は、その中央部分から右斜め上方に向けて延びた原稿トレイ２２を有しており、この原稿トレイ２２は、当該中央部分にて送り装置本体２１に回動可能に構成されており、読み取り位置３９で読み取られる原稿はトレイ２２上にセットされる。
【００３０】
また、この原稿トレイ２２には幅合わせガイド２８が設けられ、当該幅合わせガイド２８は原稿の幅方向に向けて移動可能に構成されている。そして、幅合わせガイド２８が原稿トレイ２２上にセットされた原稿の側端部分に当接すると、原稿のセット位置が決定する。
この送り装置本体２１は、原稿トレイ２２の左側に給紙カバー２５を備えている（図２，３）。
【００３１】
この給紙カバー２５は、同図の左端にて送り装置本体２１に回動自在に支持されており、その内部に配置された原稿の搬送路を外部に対して開閉することができる。つまり、同図に示された状態の給紙カバー２５は搬送路を閉じており、給紙カバー２５の外面は原稿送り装置２０の天面に相当する一方、この給紙カバー２５の内面は搬送路のガイドとして機能している。
【００３２】
ここで、給紙カバー２５が、図２，３で見て反時計回りに回動すると、上述した搬送路が開かれ、この搬送路の周囲に配設された各種のローラを視ることができる。
詳しくは、この搬送路には、原稿トレイ２２からの原稿搬送方向で見て、ピックアップローラ３０、分離ローラ対３３、レジストローラ（調整部）３５が順番に配置されている（図３）。
【００３３】
ピックアップローラ３０は、給紙カバー２５に設置されており、原稿トレイ２２の最上層に位置する原稿に接触し、当該原稿を分離ローラ対３３に向けて送出する。この原稿の搬送の有無や原稿の向きなどは、給紙カバー２５に設置されたセットスイッチなどで検知可能である。
分離ローラ対３３は、給紙カバー２５と送り装置本体２１とにそれぞれ設けられ、当該原稿をレジストローラ３５に向けて１枚ずつ送出する。
【００３４】
このレジストローラ３５は、その対峙するコロとの間でニップを形成し、原稿の斜め送りを矯正しつつ、調整された所定のタイミングで原稿を読み取り位置３９へと送出する。
また、原稿搬送方向で見てレジストローラ３５の下流側には、読取ガイド３８が配置され、読み取り部７のコンタクトガラスに対峙する。具体的には、このコンタクトガラスは、幅広の原稿載置用ガラスと、図１等では原稿載置用ガラスの左側に位置する細長い原稿自動読取用ガラスとから構成されている。
【００３５】
より詳しくは、本実施例の原稿送り装置２０は、原稿押さえとしても機能しており、送り装置本体２１は、複合機１の背面側にて装置本体２に回動自在に支持され、この送り装置本体２１は読み取り部７に対して開閉可能である。
そして、当該送り装置本体２１の下面には樹脂製の押圧板が設けられ、前者の原稿載置用ガラスが押圧板に対峙する。このガラスに載置した原稿を押圧板で押さえつけておき、所定ボタンを押下げると、読み取り部７内に配置されたミラーやレンズ等を介したＣＣＤにより当該原稿の画像面を読み取ることができる。
【００３６】
一方、後者の原稿自動読取用ガラスは、図３の読み取り位置３９にて読取ガイド３８に対峙している。
詳しくは、原稿搬送方向で見て読取ガイド３８の上流側には、読取側ローラ３６が送り装置本体２１に設置され、その対峙するコロとでニップを形成し、原稿を読取ガイド３８に向けて搬送する。この読取ガイド３８と原稿自動読取用ガラスとの間を原稿が通過するときに、原稿の画像面が読み取られる。
【００３７】
この読取ガイド３８の下流側には、読取側ローラ３７や経路切り換え部４０が設置されている。経路切り換え部４０は、読み取り位置３９から反転トレイ（反転部）２３に向かう搬送路と、読み取り位置３９から排出トレイ２４に向かう搬送路とに切り換えることができ、読取側ローラ３７は、その対峙するコロとでニップを形成し、経路切り換え部４０の位置に応じて原稿を反転トレイ２３や排出トレイ２４に向けて搬送する。
【００３８】
ここで、経路切り換え部４０によって、読み取り位置３９から排出トレイ２４に直接に向かう搬送路が選択されている場合には、原稿搬送方向で見て読取側ローラ３７の下流側には、排出ローラ４２、排出トレイ２４の順に配置される。
排出ローラ４２は、その対峙するコロとでニップを形成し、読み取り位置３９で読み取られた原稿を排出トレイ２４に送出している。
【００３９】
排出トレイ２４は、図３にも示される如く、その積載面が排出ローラ４２の近傍では排出ローラ４２の下方に位置し、排出方向に沿って上方に傾斜する形状をなし、枚葉の排出原稿を厚み方向に積層することができる。
これに対し、経路切り換え部４０によって、読み取り位置３９から反転トレイ２３に向かう搬送路が選択されていた場合には、原稿搬送方向で見て読取側ローラ３７の下流側には、反転ローラ４４、反転トレイ２３の順に配置される。
【００４０】
本実施例の反転トレイ２３は、原稿の表面（片面）及び裏面（他面）の双方を読み取り位置３９で読み取る場合に利用される。
具体的には、反転トレイ２３は、原稿トレイ２２と排出トレイ２４との間に配置されており、原稿トレイ２２と同様に排出方向に向けて延び、この原稿トレイ２２との間に原稿を載置できる空間を有して形成されている。
【００４１】
反転ローラ４４は、排出ローラ４２の近傍に設けられ、読取側ローラ３７からの原稿を反転トレイ２３に向けて原稿を搬送する機能、さらに、この反転トレイ２３の原稿をその搬送された方向とは逆方向に向けて搬送する機能を有する。
より具体的には、本実施例の反転ローラ４４は、その対峙する反転コロ（従動コロ）４５との間でニップを形成しているが、この反転コロ４５はソレノイドへの励磁に伴って反転ローラ４４から離間するのに対し、このソレノイドが消磁されると、バネ４６の付勢力によって反転ローラ４４に当接可能に構成されている。
【００４２】
この反転ローラ４４が図３で見て時計回りに回転した場合には、読み取り位置３９で読み取られた原稿を反転トレイ２３に搬送することができる。一方、反転ローラ４４が反時計回りに回転した場合には、反転トレイ２３に搬送された原稿の搬送方向を逆転させ、この反転トレイ２３の原稿をレジストローラ３５に向けて、或いは、スイッチバック搬送路（排出前搬送路）４７に向けて搬送することができる。
【００４３】
このように、原稿をスイッチバックする方向には２通りの経路があるが、この経路は、同図で見て反転ローラ４４の左側に位置する経路切り換え部４１や、これら各切り換え部４０，４１の間に位置する別の経路切り換え部４３で選択される。なお、経路切り換え部４１はその自重で下方向に、経路切り換え部４３は反時計方向にそれぞれ付勢されている。
【００４４】
そして、仮に、表面を読み取り、この表面を下に向けた状態で反転トレイ２３に搬送されている原稿が、次いで裏面を読み取る必要もある場合には、その搬送方向で見た原稿の後端が経路切り換え部４１と反転ローラ４４との間で停止し、この後端を先頭にしてレジストローラ３５に向けてスイッチバックする。つまり、反転トレイ２３からレジストローラ３５に向かう搬送路が選択され、反転ローラ４４は反転コロ４５と協働して反転トレイ２３の原稿を、裏面を上に向けた状態でレジストローラ３５に向けて搬送する。
【００４５】
これに対し、その後、読み取り位置３９で裏面も読み取った場合には、原稿は、その裏面を下に向けた状態で反転トレイ２３に搬送される。この場合には、その搬送方向で見た原稿の後端が経路切り換え部４３と経路切り換え部４１との間で停止し、この後端を先頭にしてスイッチバック搬送路４７に向けてスイッチバックする。つまり、反転トレイ２３からレジストローラ３５に向かう搬送路は選択されず、反転トレイ２３からスイッチバック搬送路４７に向かう搬送路が選択され、反転ローラ４４は反転コロ４５と協働して反転トレイ２３の原稿をスイッチバック搬送路４７に向けて搬送する。
【００４６】
本実施例のスイッチバック搬送路４７は、上述した読み取り位置３９から反転トレイ２３に向かう搬送路と上述の読み取り位置３９から排出トレイ２４に向かう搬送路とを連通しており、反転トレイ２３からレジストローラ３５、読み取り位置３９を経て直接に排出トレイ２４に達する大きく湾曲した経路に比して小さな曲率を有した略Ｃ字状に形成されている。
【００４７】
このスイッチバック搬送路４７には、搬送ローラ４８が設けられ、その対峙するコロとでニップを形成し、このスイッチバック搬送路４７に搬送された原稿を、表面を下に向けた状態で排出ローラ４２に向けて搬送する。
ここで、上述した各種ローラ３０，３３，３５〜３７，４２，４４，４８は送り装置本体２１内のコントローラ（制御手段）８０に制御されている（図４）。
【００４８】
本実施例のコントローラ８０は、同図に示されるように、経路制御部８２と、モータ制御部８４と、タイミング制御部８６と、ソレノイド制御部８８とを備えており、例えば図示しない操作パネルからの入力によって設定された読取モードの選択などに基づいて所定のプログラムを実行する。より具体的には、この経路制御部８２では、上述した経路切り換え部４０に駆動信号を出力し、原稿の搬送経路を決定する。
【００４９】
また、モータ制御部８４は上記各種ローラ３０，３３，３５〜３７，４２，４４，４８を駆動する各モータに駆動信号を出力し、タイミング制御部８６は原稿の給紙タイミングなどを調整し、ソレノイド制御部８８は、反転コロ４５を反転ローラ４４に接離させるために上記ソレノイドへの励磁や消磁を制御している。
なお、コントローラ８０には、例えばピックアップローラ３０の近傍に設置された原稿の種類（特に厚さ）を検出可能なセンサ９０や、例えば幅合わせガイド２８の位置から原稿の幅を検出可能なセンサ９１からの信号も入力される。
【００５０】
ところで、本実施例の排出側に設けられたローラ、つまり、排出ローラ４２、反転ローラ４４、及び搬送ローラ４８は、図５に示されるように、１つの反転モータ（駆動装置）５１で駆動する。
具体的には、モータ制御部８４からの駆動信号に基づき、反転モータ５１はギア及びベルトを介して排出ローラ４２の駆動プーリ（駆動手段）５０を駆動させ、モータ５１が図５の時計回りに回転すると、駆動プーリ５０も同じく時計回りに回転する。一方、反転ローラ４４の回転軸５４は、上記ベルトを介して駆動プーリ５０の回転方向とは反対方向に向けて回転可能に構成されており、駆動プーリ５０が時計回りに回転すると、回転軸５４は反時計回りに回転するため、反転ローラ４４も同じく反時計回りに回転する。
【００５１】
また、駆動プーリ５０は排出ローラ４２の回転軸５２の一端側に設けられ、当該回転軸５２の他端側には搬送ローラ４８を回転させるギアが設けられ、ギア及びベルトを介して搬送ローラ４８の回転軸５８に連結されており、駆動プーリ５０が時計回りに回転すると、回転軸５８は反時計回りに回転し、搬送ローラ４８も同じく反時計回りに回転する。
【００５２】
このように、反転ローラ４４は排出ローラ４２を駆動させる反転モータ５１の駆動に伴って従動するが、搬送ローラ４８を駆動させる排出ローラ４２に設けられた駆動プーリ５０にはワンウェイクラッチ（連結手段）が設けられている。
本実施例のワンウェイクラッチは、駆動プーリ５０の内周側に設けられている。
【００５３】
そして、例えば、反転モータ５１を時計回りに回転させると、反転ローラ４４は反時計方向に回転する。又回転軸５２は時計方向に回転し、排出ローラ４２は時計回りに、搬送ローラ４８は反時計回りに回転する（図５）。
これに対し、反転モータ５１を反時計回りに回転させると、反転ローラ４４は時計回りに回転するものの（図６）、プーリ５０の回転力は回転軸５２に伝達されない。これにより、排出ローラ４２や搬送ローラ４８は回転しない。
【００５４】
上述した原稿送り装置２０では、原稿の表面及び裏面の双方を読み取るにあたり、まず、例えば普通紙の原稿は、その表面を上に向けた状態で原稿トレイ２２にセットされ、所定ボタンの押下げにより、最上層の原稿がレジストローラ３５を経由して読み取り位置３９に向けて搬送される。次いで、その表面が読み取り位置３９で読み取られた原稿は、経路制御部８２からの信号に基づき、表面を下に向けた状態で反転トレイ２３に向かう。
【００５５】
この際には、上記ソレノイドが消磁され、バネ４６の付勢力によってニップが形成されており、当該原稿が反転ローラ４４に到達し、反転ローラ４４が時計回りに回転すると、原稿は反転トレイ２３に搬送される。
この反転トレイ２３に搬送された原稿は、反転ローラ４４の反時計回りへの回転によって搬送方向が変わってレジストローラ３５に向かい、その裏面を下に向けた状態で読取側ローラ３６に到達する。当該原稿は、図７（ａ）に示された先の原稿Ｐ１が該当する。同時に、タイミング制御部８６からの信号に基づき、後の原稿Ｐ２が給紙され、その表面を上に向けた状態で分離ローラ対３３に到達する。
【００５６】
続いて、図７（ｂ）に示される如く、裏面も読み取られた先の原稿Ｐ１は、読取側ローラ３７から反転ローラ４４に向けて再び搬送される。同時に、後の原稿Ｐ２はレジストローラ３５を経由して、その表面を下に向けた状態で読取側ローラ３６に到達する。
【００５７】
次に、反転ローラ４４が時計回りに回転すると、先の原稿Ｐ１は、反転コロ４５とのニップに保持されて裏面を下に向けた状態で反転トレイ２３に搬送される（図８（ａ））。同時に、後の原稿Ｐ２は、その表面が読み取られて読取側ローラ３７に向かう。
【００５８】
次いで、反転ローラ４４が反時計回りに回転し、先の原稿Ｐ１が表面を下に向けた状態でスイッチバック搬送路４７に搬送され初め、その搬送方向で見て当該原稿Ｐ１の先端が搬送ローラ４８にニップされ、その後端が反転ローラ４４と反転コロ４５とのニップを通過すると、上記ソレノイドが励磁され、バネ４６の付勢力に抗して反転ローラ４４と反転コロ４５とのニップは解除される（図８（ｂ））。その後、先の原稿Ｐ１の先端は、反転ローラ４４が反時計回りに回転している間に、搬送ローラ４８によって排出ローラ４２に向かう。同時に、後の原稿Ｐ２は、その表面を下に向けた状態で読取側ローラ３７から反転ローラ４４に向かう。
【００５９】
その後、図９（ａ）に示されるように、反転ローラ４４が時計回りに回転すると、後の原稿Ｐ２は、反転コロ４５とのニップに保持されて表面を下に向けた状態で反転トレイ２３に搬送されるが、この反転ローラ４４が時計回りに回転している間は、ワンウェイクラッチによって排出ローラ４２や搬送ローラ４８は停止しており、先の原稿Ｐ１はスイッチバック搬送路４７で一旦停止することになる。
【００６０】
そして、反転ローラ４４が反時計回りに回転すると、ワンウェイクラッチを介して搬送ローラ４８は反時計回りに回転し、排出ローラ４２は時計回りに回転するので、図９（ｂ）に示される如く、後の原稿Ｐ２は、その裏面を上に向けた状態でレジストローラ３５に向かい、同時に、先の原稿Ｐ１は、その表面を下に向けた状態、つまり、最初に読み取られた画像面が下を向く状態で排出トレイ２４に送出される。
【００６１】
なお、この図９（ｂ）に示された状態の各ローラ４２，４４，４８の回転速度は、モータ制御部８４によって、読み取り部７における数種類ある読取速度のうち設定速度の最高値で回転するように設定されている。
また、後の原稿Ｐ２が、その裏面を下に向けた状態で読取側ローラ３６に到達すると、さらに後の原稿が給紙され、その表面を上に向けた状態で分離ローラ対３３に到達することになる。
【００６２】
再び図１に戻り、この原稿送り装置２０を搭載した複合機１では、カセット３やトレイ５から用紙が１枚ずつ分離して送出され、この用紙は装置本体２内のレジストローラに到達する。このレジストローラは、用紙の斜め送りを矯正しつつ、画像形成部９で形成されるトナー画像とのタイミングを計りながら、用紙を転写部１０へと送出する。
【００６３】
また、読み取り部７で読み取られた画像データに基づき、複合機１では露光部８によるレーザ光Ｌの照射が制御される。これにより、画像形成部９においてドラム上に原稿画像の静電潜像が作られ、続いてトナーコンテナ１１のトナーを用い、この潜像からドラム上にトナー画像が形成され、用紙に転写される。
その後、用紙は未定着トナー画像を担持した状態で定着部１２に向けて送られ、トナー画像を定着する。次いで、定着部１２から排出された用紙は排出分岐部１３を通って排紙トレイ１４に排出される。
【００６４】
この片面印刷に対し、両面印刷を行う場合には、定着部１２から排出された用紙は排紙トレイ１４に排出される直前にて両面印刷用ユニット１６側にスイッチバックされ、この用紙は搬送路４に合流し、再び転写部１０に向けて送られる。そして、この場合には、用紙の未だ印刷がされていない面にトナー画像が転写される。
【００６５】
ところで、上述の原稿は、総てスイッチバック搬送路４７に搬送されてから排出トレイ２４に送出されているが、原稿の表裏両面を読み込む場合であっても、当該搬送路４７を回避しても良い。
詳しくは、図１０，１１に示された例では、原稿が普通紙とは厚さの異なる特殊な紙（例えば、厚紙や薄紙）で構成されており、その厚さがセンサ９０で識別される、若しくは装置本体２のパネルで選択された場合には、経路制御部８２がスイッチバック搬送路４７に搬送させない信号を出力する。
【００６６】
より具体的には、当該原稿は、その表面を上に向けた状態で原稿トレイ２２にセットされ、最上層の原稿がレジストローラ３５を経由して読み取り位置３９に向けて搬送される。次いで、その表面が読み取り位置３９で読み取られた原稿は、表面を下に向けた状態で反転トレイ２３に向かう。
この際には、上記ソレノイドの動作はなく、バネ４６の付勢力によってニップが形成されたままであり、当該原稿が反転ローラ４４に到達し、この反転ローラ４４が時計回りに回転すると、原稿は反転トレイ２３に搬送される。
【００６７】
この原稿は、反転ローラ４４の反時計回りへの回転によって搬送方向が変わり、その裏面を上に向けた状態でレジストローラ３５に向かい、読取側ローラ３６に到達する。そして、この裏面が読み取り位置３９で読み取られた原稿は、裏面を下に向けた状態で反転トレイ２３に向かい、この原稿が反転ローラ４４に到達すると、反転ローラ４４が時計回りに回転し、原稿は反転トレイ２３に再び搬送される。当該原稿が図１０（ａ）に示された原稿Ｐ３に相当する。
【００６８】
ここで、この原稿Ｐ３は、裏面も既に読み取られた状態であるが、図１０（ｂ）に示されるように、反転ローラ４４の反時計回りへの回転によって表面を上に向けた状態でレジストローラ３５に向かわせ、読取側ローラ３６に到達させる。
続いて、本実施例では、原稿Ｐ３の表面が最初に読み取られているため、原稿Ｐ３は、その表面が読み取り部７で読み取られないまま（カラ搬送）、読取側ローラ３７に到達する。
【００６９】
次いで、読取側ローラ３７は、原稿Ｐ３をその表面が下に向けた状態で、排出ローラ４２に向けて搬送し（図１１（ａ））、最初に読み取られた画像面が下を向く状態で排出トレイ２４に送出される（図１１（ｂ））。
なお、この例では、表面の読み取り後に、裏面を読み取り、その後の表面の読み取りを禁止しているが、最初の表面の読み取りを禁止し、裏面を初めに読み取り、その後に表面を読み取っても良い。
【００７０】
一方、この図１０，１１は、原稿の厚さを考慮した例であるが、原稿の幅を考慮すると、図１２〜１４の例であっても良い。
具体的には、原稿の幅が例えばＢ５サイズの用紙の如く、Ａ３サイズやＡ４サイズの用紙の幅よりも狭い旨がセンサ９１で識別される、若しくは装置本体２のパネルで選択されていた場合には、タイミング制御部８６がピックアップローラ３０やレジストローラ３５による給紙タイミングを遅らせ、さらに、ソレノイド制御部８８が上記ソレノイドへの励磁を禁止している。
【００７１】
これは、当該Ｂ５サイズの原稿の剛性（紙のコシ）は、Ａ３サイズやＡ４サイズの原稿の剛性よりも低く、読取側ローラ３７の搬送力に屈し得る強さになり得るからである。なお、このローラ３７の搬送力に屈し得る強さは、実験等にて予め計測される。
そして、例えばＢ５サイズの原稿は、その表面を上に向けた状態で原稿トレイ２２にセットされ、最上層の原稿がレジストローラ３５を経由して読み取り位置３９に向けて搬送される。次いで、その表面が読み取り部７で読み取られた原稿は、表面を下に向けた状態で反転トレイ２３に向かう。
【００７２】
ここで、この例の場合には、原稿が反転トレイ２３に向かうときであっても、上記ソレノイドが消磁されており、バネ４６の付勢力によって反転ローラ４４と反転コロ４５とのニップが形成され続けている。当該原稿が反転ローラ４４に到達すると、反転ローラ４４が時計回りに回転し、この原稿は反転トレイ２３に搬送される。
【００７３】
この原稿は、反転ローラ４４の反時計回りへの回転によって搬送方向が変わり、その裏面を上に向けた状態でレジストローラ３５に向かってから読取側ローラ３６に到達する。そして、この裏面が読み取り位置３９で読み取られた原稿が図１２（ａ）に示された先の原稿Ｐ４に相当し、裏面を下に向けた状態で読取側ローラ３７によって反転トレイ２３に向かう。同時に、タイミング制御部８６からの信号に基づき、同じくＢ５サイズである後の原稿Ｐ５が給紙され、その表面を上に向けた状態で分離ローラ対３３に到達する。なお、当該後の原稿Ｐ５の給紙タイミングは図７（ａ）の後の原稿Ｐ２の給紙タイミングに比して遅くなっていることが分かる。
【００７４】
先の原稿Ｐ４が反転ローラ４４に到達すると、反転ローラ４４が時計回りに回転し、この原稿Ｐ４は裏面を下に向けた状態で反転トレイ２３に搬送される（図１２（ｂ））。同時に、後の原稿Ｐ５はレジストローラ３５を経由して、その表面を下に向けた状態で読取側ローラ３６に到達する。
次いで、反転ローラ４４が反時計回りに回転し、先の原稿Ｐ４が表面を下に向けた状態でスイッチバック搬送路４７に搬送される（図１３（ａ））。同時に、後の原稿Ｐ５は、その表面が読み取られて読取側ローラ３７に向かう。
【００７５】
この例では、その搬送方向で見て先の原稿Ｐ４の後端が反転ローラ４４と反転コロ４５とのニップを通過しても、上記ソレノイドは消磁され、当該ニップは依然として形成されたままである。
さらに、図１３（ｂ）に示されるように、先の原稿Ｐ４の後端もスイッチバック搬送路４７に搬送された時点では、後の原稿Ｐ５は未だ読取側ローラ３７によって反転トレイ２３に向かい初める段階であり、先の原稿Ｐ４と後の原稿Ｐ５とが重なり合わない。
【００７６】
その後、図１４（ａ）に示されるように、反転ローラ４４が時計回りに回転すると、後の原稿Ｐ５は、反転コロ４５とのニップに保持され、その表面を下に向けた状態で反転トレイ２３に搬送されるが、この反転ローラ４４が時計回りに回転している間は排出ローラ４２や搬送ローラ４８は停止し、先の原稿Ｐ４はスイッチバック搬送路４７で一旦停止している。
【００７７】
そして、反転ローラ４４が反時計回りに回転すると、搬送ローラ４８は反時計回りに回転し、排出ローラ４２は時計回りに回転することから、図１４（ｂ）に示される如く、後の原稿Ｐ５は、その裏面を上に向けた状態でレジストローラ３５に向かい、同時に、先の原稿Ｐ４は、その表面を下に向けた状態、つまり、最初に読み取られた画像面が下を向く状態で排出トレイ２４に送出される。なお、当該後の原稿Ｐ５の後端が反転ローラ４４と反転コロ４５とのニップを通過しても、当該ニップは形成されたままである。
【００７８】
また、後の原稿Ｐ５が、その裏面が読み取り位置３９で読み取られ、この裏面を下に向けた状態で読取側ローラ３７に到達すると、さらに後の原稿が給紙され、その表面を上に向けた状態で分離ローラ対３３に到達することになる。
なお、これら原稿が上述したＢ５サイズではなく、Ａ３やＡ４サイズであった場合には、給紙タイミングやソレノイドの制御は図７〜９の例と同様である。
【００７９】
以上のように、本実施例によれば、原稿は、その表面を上に向けた状態で原稿トレイ２２に積層されており、読み取り位置３９で読み取られた後に排出ローラ４２で排出トレイ２４に送出される。この排出トレイ２４の原稿は、その表面を下に向けた状態で積層される。
ここで、原稿の表面及び裏面の双方を読み取る場合には、まず、読み取り部７が原稿トレイ２２から搬送された表面を読み取ると、この原稿は、表裏が反転し、裏面を上に向けた状態で反転ローラ４４に達する。この反転ローラ４４が回転すると、反転トレイ２３に搬送される。
【００８０】
次いで、反転ローラ４４が反対側に回転すると、この原稿の搬送方向が逆転し、反転トレイ２３からレジストローラ３５を経て、読み取り部７が裏面を読み取る。これにより、表裏が再び反転するが、このままでは表面を上に向けた状態で排出トレイ２４に送出され、原稿トレイ２２にセットした順序とは逆の順序でトレイ２４に積層されてしまう。
【００８１】
そこで、原稿は、表面を上に向けた状態で再び反転ローラ４４に搬送され、反転トレイ２３に搬送される。これら表面及び裏面の双方が読み取られた原稿は、反転ローラ４４によって搬送方向が再び逆転し、反転トレイ２３と排出トレイ２４とを直接に結ぶスイッチバック搬送路４７に搬送される。この搬送路４７では、表裏が再び反転し、表面を下に向けた状態になる。
【００８２】
一方、この搬送路４７には搬送ローラ４８が設けられているが、これら反転ローラ４４や搬送ローラ４８は排出ローラ４２を駆動する反転モータ５１の回転に従動する。
つまり、反転ローラ４４は正逆転するにも拘わらず、単に、反転モータ５１に従動するのでは、反転ローラ４４が原稿を反転トレイ２３に搬送させる方向に回転している間は、排出ローラ４２や搬送ローラ４８はその機能を果たすことが困難になり、これでは、先の原稿を排出トレイ２４に排出した後でなければ、後の原稿を反転トレイ２３に搬送することができず、やはり総ての原稿の読み取りに要する期間が長くなってしまう。
【００８３】
しかしながら、本実施例の排出ローラ４２の駆動プーリ５０にはワンウェイクラッチが設けられ、モータ制御部８４による反転排出制御が施されている。詳しくは、当該ワンウェイクラッチは、反転ローラ４４が原稿を反転トレイ２３に搬送させる方向（時計回り）に回転する場合には、駆動プーリ５０は反時計回りに回転するが、排出ローラ４２及び搬送ローラ４８を停止させる。これに対し、反転ローラ４４が反転トレイ２３の原稿をスイッチバックさせる方向（反時計回り）に回転する場合には、駆動プーリ５０は時計回りに回転し、排出ローラ４２は時計回りに回転、及び搬送ローラ４８は反時計回りに回転し、スイッチバック搬送路４７に搬送された原稿が排出トレイ２４に送出させる回転力を伝達することができる。
【００８４】
よって、先の原稿をスイッチバック搬送路４７に一旦停止させた状態で、反転ローラ４４は表面を読み取った直後の原稿を反転トレイ２３に搬送させることが可能になり、各原稿間の距離を短くできる。また、反転ローラ４４が後の原稿をレジストローラ３５に向けて搬送すると同時に、搬送ローラ４８や排出ローラ４２は先の原稿を排出トレイ２４に送出できる。この結果、原稿送り装置２０の原稿搬送に関する生産性が向上する。詳しくは、１分間で５０枚を搬送できる装置２０の場合には、従来に比して３〜４枚程度多く搬送可能になる。
【００８５】
しかも、停止した排出ローラ４２及び搬送ローラ４８は、このローラにニップした原稿を損傷させず、さらに、スイッチバック搬送路４７で一旦停止した原稿が排出ローラ４２及び搬送ローラ４８の双方で送出可能になれば、原稿の安定搬送を図ることができる。
【００８６】
また、反転ローラ４４が後の原稿をレジストローラ３５に向けて搬送する際に、搬送ローラ４８や排出ローラ４２が先の原稿を読取速度のうち設定速度の最高値で回転して排出トレイ２４に送出することから、先の原稿に要する排出動作時間をより短縮できる。さらに、反転ローラ４４もまた後の原稿を読取速度のうち設定速度の最高値で回転してレジストローラ３５に搬送するので、後の原稿のスイッチバックに要する期間をより短縮できる。
【００８７】
さらに、読取側ローラ３７は、読み取り位置３９で読み取られた原稿を反転ローラ４４或いは排出ローラ４２に向けて搬送可能であるが、この原稿が普通紙とは厚さの異なる特殊な紙（例えば、厚紙或いは薄紙）であった場合には、経路制御部８２による反転排出経路回避制御が適用される。
詳しくは、図１０，１１に示されるように、反転ローラ４４は、この特殊な紙の裏面も既に読み取ったときにも、当該裏面を初めて読み取る場合と同様に、反転トレイ２３に搬送された原稿をレジストローラ３５に向けてスイッチバックさせ、スイッチバック搬送路４７に向かわせない。そして、読取側ローラ３７は、当該原稿を、その表面が排出トレイ２４に対峙する状態で直接に排出ローラ４２に向けて搬送する。
【００８８】
よって、この特殊な紙に作用する負荷が小さくて済み、曲率が小さくなり得るスイッチバック搬送路４７に特殊な紙を搬送した場合に比して、当該スイッチバック搬送路４７における原稿の詰まりを未然に防止でき、原稿送り装置２０の搬送性能が向上する。
より具体的には、厚紙は、そのコシが強いためにスリップしやすく、また、薄紙は、そのコシが弱いために引っかかりやすくなるが、スイッチバック搬送路４７を通さないので、この搬送路４７における原稿の詰まり（ジャム）を確実に防止できる。
【００８９】
さらにまた、反転ローラ４４には反転コロ４５が接離可能に構成され、この反転コロ４５は、ソレノイドへのその消磁に伴い、バネ４６の付勢力によってニップを生じさせるため、反転ローラ４４及び反転コロ４５は、原稿を当該ニップで保持して反転トレイ２３に搬送する。なお、このニップはソレノイドへの励磁に伴って解除可能である。
【００９０】
一方、この各原稿間の距離を短くするにあたり、上述したソレノイドは、スイッチバック搬送路４７に搬送される先の原稿が搬送ローラ４８のニップに到達すると励磁され、反転コロ４５が反転ローラ４４から離間し、後の原稿を受け容れ易い姿勢を取るが、この反転ローラ４４から搬送ローラ４８に向かう先の原稿と、読取側ローラ３７から反転ローラ４４に向かう後の原稿とは、向かい合う対面状態で搬送されて重なり合う場合がある。つまり、後の原稿は、読取側ローラ３７から反転ローラ４４に向かう搬送路が湾曲している影響を受け、また、先の原稿とは読取側ローラ３７に向けて戻される方向に擦れるため、大きな負荷が作用する。
【００９１】
しかし、本実施例では、図１２〜１４に示される如く、反転ローラ４４には従動コロ離間制御が適用される。
詳しくは、後の原稿の幅が狭くなるに連れて紙のコシが弱くなることを鑑みると、読取側ローラ３７のみ、つまり、後の原稿の後端だけを読取側ローラ３７で保持して反転トレイ２３に向けて搬送するのでは、当該原稿の腰折れや波うちが生じ、読取側ローラ３７と反転ローラ４４とを繋ぐ搬送路で原稿の詰まり（ジャム）の原因になる。
【００９２】
そこで、本実施例のソレノイド制御部８８は、後の原稿の幅が狭く（例えばＢ５サイズの用紙）、その紙のコシが読取側ローラ３７の搬送力に屈し得る強さであった場合には、上述のソレノイドの励磁を禁止しており、当該後の原稿を読取側ローラ３７及び反転ローラ４４の双方、換言すれば、後の原稿の先端及び後端をそれぞれ保持して搬送させる。さらに、タイミング制御部８６が、後の原稿の送出時期を遅らせて先の原稿との重なり合わないようにしている。
【００９３】
この結果、各原稿間の距離を短くしつつ、後の原稿は安定して搬送されることから、読取側ローラ３７と反転ローラ４４とを繋ぐ搬送路で原稿の詰まりを回避でき、原稿送り装置２０の原稿搬送に関する生産性が向上する。
また、ソレノイドの励磁を禁止すれば、従来に比してその励磁に伴う騒音、消費電力や装置内温度の上昇も抑制可能になる。
【００９４】
さらに、後の原稿の幅が広い場合（例えばＡ３やＡ４サイズの用紙）に、反転コロ４５を反転ローラ４４から離間させれば、各原稿間の距離を容易に短くできる。
さらにまた各原稿間の距離が短くなることにより、複合機１に要する作業期間も短くて済み、複合機１の信頼性も向上する。
【００９５】
本発明は、上記各実施例に限定されず、特許請求の範囲を逸脱しない範囲で種々の変更を行うことができる。
例えば、上記実施例では画像形成装置として複合機に具現化した例を示しているが、本発明は原稿送り装置を有する複写機、プリンタ等にも当然に適用可能である。そして、この場合にも上記と同様に、各原稿間の距離を短くしつつ、原稿を安定搬送できるとの効果を奏する。
【符号の説明】
【００９６】
１  複合機（画像形成装置）
７  読み取り部
２０  原稿送り装置
２２  原稿トレイ
２３  反転トレイ（反転部）
２４  排出トレイ
３５  レジストローラ（調整部）
３６，３７  読取側ローラ
４２  排出ローラ
４４  反転ローラ
４５  反転コロ（従動コロ）
４７  スイッチバック搬送路（排出前搬送路）
４８  搬送ローラ
５０  駆動プーリ（駆動手段）
５１  反転モータ（駆動装置）
８０  コントローラ（制御手段）
【図１】
0005450843.tif 000002
【図２】
0005450843.tif 000003
【図３】
0005450843.tif 000004
【図４】
0005450843.tif 000005
【図５】
0005450843.tif 000006
【図６】
0005450843.tif 000007
【図７】
0005450843.tif 000008
【図８】
0005450843.tif 000009
【図９】
0005450843.tif 000010
【図１０】
0005450843.tif 000011
【図１１】
0005450843.tif 000012
【図１２】
0005450843.tif 000013
【図１３】
0005450843.tif 000014
【図１４】
0005450843.tif 000015